(57)【要約】【課題】エアゾール容器のガス抜きを、排出された内容物の周囲への不要な飛散を防止しつつ簡便に行う。【解決手段】エアゾールバルブが装着された容器本体２に冠着されるガス抜き用キャップ１０であって、冠着時にエアゾールバルブのステム４を覆うキャップ本体１１と、ステム４を押圧する突起部１２とを備え、突起部１２が多孔性材料から形成されている。【選択図】図１Ｂ
2008094424.tif 000002
【特許請求の範囲】
【請求項１】
エアゾールバルブが装着された容器本体に冠着されるガス抜き用キャップであって、冠着時にエアゾールバルブのステムを覆うキャップ本体と、ステムを押圧する突起部とを備え、突起部が多孔性材料から形成されているガス抜き用キャップ。
【請求項２】
ステムの周囲に液溜部を形成する液溜形成部材を備えた請求項１記載のガス抜き用キャップ。
【請求項３】
エアゾールバルブが装着された容器本体と請求項１又は２記載のガス抜き用キャップを備えたエアゾール容器。
【請求項４】
エアゾール容器の内容物が染毛剤である請求項３記載のエアゾール容器。
【請求項５】
ガス抜き用キャップが容器本体底部に冠着される請求項３又は４記載のエアゾール容器。
【発明の詳細な説明】
【技術分野】
【０００１】
本発明は、エアゾール容器の廃棄時に使用するガス抜き用キャップに関する。
【背景技術】
【０００２】
ガス抜き処理を簡便に行えるようにするため、エアゾール容器に被冠されるキャップであって、ガス抜き部材をキャップ壁面に着脱自在に取り付けたものが提案されている（特許文献１）。このキャップによれば、ガス抜き部材をキャップ壁面から取り外すと、キャップにガス抜き孔が形成され、また、取り外したガス抜き部材をキャップの内側中央部に取り付け、そのキャップをエアゾール容器に被冠させると、ガス抜き部材でステムを押圧することができるので、簡便に残ガスや残液を排出させることができる。
【０００３】
また、エアゾール容器に被冠されるキャップとしては、その天面に排出部材を備えたものも提案されている（特許文献２）。このキャップを、ガス抜き時に、天地を逆にしてエアゾール容器に嵌めると、ステムの押圧状態が維持されるので、エアゾール容器の内容物を排出部材を通して排出させ、キャップ内側に溜めることができる。
【０００４】
【特許文献１】特開２００１−１４６２８１号公報
【特許文献２】特開２００１−１３９０７６号公報
【発明の開示】
【発明が解決しようとする課題】
【０００５】
しかしながら、ガス抜き時に、単にステムを押圧しただけでは、エアゾール内に残っている残ガスだけでなく残液も勢いよく排出されるので、排出された残液が飛散し、周囲が汚れる場合がある。特に、排出される残液が染毛剤のように粘度の高い液体の場合には、ガスのみを優先的に排出させることができないため、残液の飛散が起こりやすく、さらに、排出された液が着色されているために飛散による汚れも問題となる。
【０００６】
これに対し、本発明は、エアゾール容器のガス抜きのために簡便に使用することができ、かつガス抜き時に排出される内容物の勢いを緩和し、排出された内容物の周囲への不要な飛散を防止することを目的とする。
【課題を解決するための手段】
【０００７】
本発明者らは、ガス抜き時にキャップを被せてステムを押圧するに際し、ステムを多孔質材料で押圧すると、ステムからの内容物の排出の勢いを緩和できることを想到し、本発明を完成させた。
【０００８】
即ち、本発明は、エアゾールバルブが装着された容器本体に冠着されるガス抜き用キャップであって、冠着時にエアゾールバルブのステムを覆うキャップ本体と、ステムを押圧する突起部とを備え、突起部が多孔性材料から形成されているガス抜き用キャップを提供し、特に、ステムの周囲に液溜部を形成する液溜形成部材を備えた態様を提供する。
【０００９】
また、本発明は、エアゾールバルブが装着された容器本体と上述のガス抜き用キャップを備えたエアゾール容器を提供する。
【発明の効果】
【００１０】
本発明のガス抜き用キャップによれば、それを容器本体に冠着させ、キャップ本体でステムを覆い、突起部でステムを押圧すると、ステムから残ガスや残液が排出されるが、この突起部が多孔質材料で形成されているので、残液よりも残ガスが優先的に排出され、さらに、残ガスや残液の排出の勢いも緩和される。したがって、これらの排出時に不要な飛散を防止することができる。
【００１１】
特に、このガス抜き用キャップを容器本体に冠着させるにあたり、ステムの周囲に液溜部を形成する液溜形成部材を装着しておくと、ステムから排出された残液がガス抜き用キャップ外に漏れ出ることなく、液溜部に溜まるので、ガス抜き時の容器の周囲が残液で汚れることを防止できる。
【発明を実施するための最良の形態】
【００１２】
以下、図面を参照しつつ本発明を詳細に説明する。なお、各図中、同一符号は同一又は同等の構成要素を表している。
図３Ａは、ガス抜き用キャップを外している状態の本発明の一実施例のエアゾール容器の斜視図であり、図３Ｂはそのガス抜き用キャップ断面図である。図２は、このガス抜き用キャップを容器本体上に被せた状態の断面図である。図１Ａは、図２の状態からガス抜き用キャップを容器本体にねじ込んだ状態のエアゾール容器の斜視図であり、図１Ｂはそのガス抜き用キャップの断面図である。
【００１３】
このエアゾール容器１は、容器本体２の上部開口部にエアゾールバルブ３を装着したもので、エアゾールバルブ３から起立しているステム４を押し込むことにより、容器本体２内に収容されている液剤がステム４の開口端から噴射ガスと共に吐出されるものである。
【００１４】
ここで、容器本体２に収容する液剤としては、特に制限はないが、本発明のガス抜き用キャップは、ガス抜き時に排出物の飛散を防止できることから、髪に付着させるために粘性が高く、飛散により周囲の汚れが問題となるへアカラー、ヘアマニュキュア等の染毛剤を内容物とする場合に、特に有効となる。
【００１５】
容器本体２のステム周りには、所定の塗布具あるいはガス抜き用キャップ１０を着脱自在に螺合させることを可能とする肩カバー５が装着されている。肩カバーに螺合させる塗布具としては、収容する液剤の用途、種類等に応じて種々の形態のものを使用することができるが、例えば、容器本体２に収容させる液剤がヘアマニュキュアである場合、図４Ａに示すようなブラシ３０をあげることができる。このブラシ３０は、各櫛歯３１内に液流路を有すると共に、ステム４を押下げて流路を開閉するために使用者が操作するボタン３２を有し、図４Ｂに示すように、肩カバー５に螺合させ、ボタン３２の押下げで流路を開くことにより、各櫛歯からヘアマニュキュアを吐出させるものである。
【００１６】
肩カバー５には、ガス抜き用キャップ１０を肩カバーに冠着させた場合に、肩カバー５の上面とガス抜き用キャップ１０で囲まれる空間と外部とを通気させるガス抜き孔６が形成されている。
【００１７】
ガス抜き用キャップ１０は、キャップ本体１１と、キャップ本体１１の内側天面に突出する突起部１２からなる。キャップ本体１１の内周壁には肩カバー５に螺合するねじ山が切られており、これを螺合させることによりガス抜き用キャップ１０は、ステム４上を覆うように容器本体２に冠着する。
【００１８】
ガス抜き用キャップ１０の突起部１２は、軽石、発泡樹脂成型体、金属焼結体等の連続気泡の多孔質材料から形成されている。また、キャップ本体１１を肩カバー５上に配し、ねじ込んで肩カバー５に螺合させた状態で、ステム４を押圧することのできるように硬質の材料で形成されている。突起部１２のキャップ本体１１への取り付け方は、本実施例では、図１Ｂ、図２，図３Ｂに示したように、キャップ本体の内側天面の略全体にわたる突起基部１３を突起部１２と一体に多孔性材料で形成し、それをキャップ本体１１の内側天面に貼着しているが、これに限らず、例えば、図５に示すように、柱状の突起部１２をキャップ１１の内側天面に嵌め込んで起立させてもよい。
【００１９】
なお、ガス抜き用キャップ１０は、ガス抜き時以外（即ち、通常のエアゾール容器としての使用時）においても、エアゾール容器１に掛止させておくことが、ガス抜き時にガス抜き用キャップ１０を探す手間がないので好ましい。そのため、例えば、図４Ａ、図４Ｂに示すように、ガス抜き用キャップ１０を、容器本体２の底部に冠着できるようにすることが好ましい。この場合に、ガス抜き用キャップ１０が、容器本体２の起立保持具となるように、キャップ１０の接地面に平坦部を形成してもよい。
【００２０】
また、本発明のガス抜き用キャップ１０は液溜形成部材１４を備えている。液溜形成部材１４は、ガス抜き時に排出させた残液が容器本体２の外面に垂れないようにするため、必要に応じて設けられる。液溜形成部材１４は、中央部にステム４を挿入させるステム挿入孔１６が開口した環状の溝型形状となっており、ステム挿入孔１６にステム４を挿入させ、容器本体２上に装着すると、液溜溝１５がステム４に隣接し、ステム４の周囲を囲むこととなる。
【００２１】
本実施例では、液溜形成部材１４をキャップ本体１１と独立した部品としているが、バネ材等により液溜形成部材１４をキャップ本体１１に取り付けてもよい。これにより、ガス抜き用キャップ１０を容器本体２に冠着させる際に、別個に液溜形成部材１４を装着する手間を省くことができる。あるいは、エアゾール容器１の使用時において、肩カバー５に塗布具を取り付ける場合でも、液溜形成部材１４を肩カバー５に装着しておけるように塗布具を構成することにより、常時、液溜形成部材１４を容器本体２に装着しておくようにしてもよい。
【００２２】
このガス抜き用キャップ１０を用いてガス抜きを行う場合には、まず、図２に示すように、液溜形成部材１４を容器本体２の肩カバー５上に装着し、さらにキャップ本体１１を被せ、図１Ｂに示すように、ガス抜き用キャップ１０をねじ込み、突起部１２でステム４を押し下げる。これにより、容器本体２内から残ガスＧと残液Ｌがステム４を通り、さらに突起部１２を形成する多孔質材料を通って排出される。このとき残ガスＧが残液Ｌよりも優先的に排出される。さらに残ガスや残液の排出時の勢いは緩やかとなる。したがって、ガス抜き用キャップ１０のガス抜き孔６や、ガス抜き用キャップ１０、肩カバー５、あるいは容器本体２の間隙から残液Ｌが噴出することはなく、排出された残液Ｌは液溜部１５に溜まる。また、残ガスＧはガス抜き孔６を通して排気される。よって、ガス抜き用キャップ１０を冠着させるという簡便な操作で、残液Ｌを何ら飛散させることなく、ガス抜き処理を行うことが可能となる。
【００２３】
本発明は、この他種々の態様をとることができる。例えば、ステムを押圧する突起部は、軽石等の単一材料に限らず、図６に示すように、スリットを有する筒状部材１７とスポンジ等の多孔質部材１８とを組み合わせて用いてもよい。
【産業上の利用可能性】
【００２４】
本発明のガス抜き用キャップは、エアゾール容器の廃棄時のガス抜き処理に有用である。
【図面の簡単な説明】
【００２５】
【図１Ａ】ガス抜き用キャップを容器本体にねじ込んだ状態のエアゾール容器の斜視図である。
【図１Ｂ】容器本体にねじ込んだ状態のガス抜き用キャップの断面図である。
【図２】容器本体に被せた状態のガス抜き用キャップの断面図である。
【図３Ａ】ガス抜き用キャップを容器本体から外した状態のエアゾール容器の斜視図である。
【図３Ｂ】容器本体から外した状態のガス抜き用キャップの断面図である。
【図４Ａ】容器本体に取り付けるブラシの斜視図である。
【図４Ｂ】ブラシを取り付けた容器本体の斜視図である。
【図５】容器本体にねじ込んだ状態の他のガス抜き用キャップの断面図である。
【図６】容器本体にねじ込んだ状態の他のガス抜き用キャップの断面図である。
【符号の説明】
【００２６】
１    エアゾール容器
２    容器本体
３    エアゾールバルブ
４    ステム
５    肩カバー
６    ガス抜き孔
１０    ガス抜き用キャップ
１１    キャップ本体
１２    突起部
１３    突起基部
１４    液溜形成部材
１５    液溜部
１６    ステム挿入孔
１７    筒状部材
１８    スポンジ等の多孔質部材
３０    ブラシ
３１    櫛歯
３２    ボタン
【図１Ａ】
2008094424.tif 000003
【図１Ｂ】
2008094424.tif 000004
【図２】
2008094424.tif 000005
【図３Ａ】
2008094424.tif 000006
【図３Ｂ】
2008094424.tif 000007
【図４Ａ】
2008094424.tif 000008
【図４Ｂ】
2008094424.tif 000009
【図５】
2008094424.tif 000010
【図６】
2008094424.tif 000011